(57)【特許請求の範囲】
【請求項１】
外部入力される映像信号を圧縮符号化処理することにより映像圧縮データを生成する映像符号化部と、
外部入力される音声信号を圧縮符号化処理することにより第１の音声圧縮データを生成する音声符号化部と、
第１の動作モードを含む複数の動作モードを有し、前記第１の動作モードのときにネットワークを介して外部の端末から第２の音声圧縮データを取得する第１の機能と、前記第１の動作モードのときに前記映像符号化部で生成される映像圧縮データと前記音声符号化部で生成される第１の音声圧縮データと前記第１の機能により取得される第２の音声圧縮データのうち、少なくとも前記映像圧縮データと前記第１の音声圧縮データとを前記ネットワークを介して前記端末へ送信する第２の機能と、前記第１の動作モードのときに前記映像符号化部で生成される映像圧縮データと前記音声符号化部で生成される第１の音声圧縮データと前記第１の機能により取得される第２の音声圧縮データとを前記ネットワークを介して外部のレコーダへ送信する第３の機能とを有するネットワーク処理部と、
前記ネットワーク処理部の前記第１の機能により取得される前記第２の音声圧縮データを復号化処理することにより音声信号を生成し外部出力する音声復号化部とを備えた送受信装置。
【請求項２】
前記ネットワーク処理部の前記第１の機能は、前記第２の音声圧縮データが変換されてなり送信元を前記端末とし送信先を前記送受信装置とする情報を含む第１の音声パケットを前記ネットワークから取得し、前記第１の音声パケットから前記第２の音声圧縮データを抽出する機能であり、
前記第２の機能は、前記映像圧縮データを、送信元を前記送受信装置とし送信先を前記端末とする情報を含む第１の映像パケットに変換し、前記第１の音声圧縮データと前記第１の機能により抽出される前記第２の音声圧縮データとを合わせたデータを、送信元を前記送受信装置とし送信先を前記端末とする情報を含む第２の音声パケットに変換するとともに、前記第１の映像パケットと前記第２の音声パケットとを前記ネットワークへ送出する機能であり、
前記第３の機能は、前記映像圧縮データを、送信元を前記送受信装置とし送信先を前記レコーダとする情報を含む第２の映像パケットに変換し、前記第１の音声圧縮データと前記第１の機能により抽出される前記第２の音声圧縮データとを合わせたデータを、送信元を前記送受信装置とし送信先を前記レコーダとする情報を含む第３の音声パケットに変換するとともに、前記第２の映像パケットと前記第３の音声パケットとを前記ネットワークへ送出する機能である請求項１に記載の送受信装置。
【請求項３】
前記ネットワーク処理部の前記第１の機能は、前記第２の音声圧縮データが変換されてなり送信元を前記端末とし送信先を前記送受信装置とする情報を含む第１の音声パケットを前記ネットワークから取得し、前記第１の音声パケットから前記第２の音声圧縮データを抽出する機能であり、
前記第２の機能は、前記映像圧縮データを、送信元を前記送受信装置とし送信先を前記端末とする情報を含む第１の映像パケットに変換し、前記第１の音声圧縮データを、送信元を前記送受信装置とし送信先を前記端末とする情報を含む第２の音声パケットに変換するとともに、前記第１の映像パケットと前記第２の音声パケットとを前記ネットワークへ送出する機能であり、
前記第３の機能は、前記映像圧縮データを、送信元を前記送受信装置とし送信先を前記レコーダとする情報を含む第２の映像パケットに変換し、前記第１の音声圧縮データを、送信元を前記送受信装置とし送信先を前記レコーダとする情報を含む第３の音声パケットに変換し、前記第１の機能により抽出される前記第２の音声圧縮データを、送信元を前記送受信装置とし送信先を前記レコーダとする情報を含む第４の音声パケットに変換するとともに、前記第２の映像パケットと前記第３の音声パケットと前記第４の音声パケットとを前記ネットワークへ送出する機能である請求項１に記載の送受信装置。
【請求項４】
前記ネットワーク処理部に対して前記第１の動作モードと他の動作モードとを選択的に設定するモード設定部を設けた請求項１〜３のいずれかに記載の送受信装置。
【請求項５】
各々、ネットワークに接続された請求項１に記載の送受信装置と、前記送受信装置に映像信号を外部入力する監視カメラと、前記送受信装置に音声信号を外部入力する第１のマイクロホンと、前記送受信装置から外部出力される音声信号を再生する第１のスピーカとを有する複数の被監視側ユニットと、
前記ネットワークに接続された端末と、前記端末に接続されたモニタディスプレイと、前記端末から出力される音声信号を再生する第２のスピーカと、前記端末に音声信号を入力する第２のマイクロホンとを有し、前記端末は、前記第２のマイクロホンから入力される音声信号を圧縮符号化処理することにより第２の音声圧縮データを生成し、前記ネットワークを介してネットワーク処理部が第１の動作モードに設定されている前記送受信装置へ送信する機能と、前記送受信装置から送信される映像圧縮データを前記ネットワークを介して取得し、前記映像圧縮データを復号化処理し前記モニタディスプレイに映像として表示する機能と、前記送受信装置から送信される第１の音声圧縮データを前記ネットワークを介して取得し、前記第１の音声圧縮データを復号化処理することにより音声信号を生成し前記第２のスピーカへ出力する機能とを有する監視側ユニットと、
前記ネットワークに接続され、前記送受信装置から送信される映像圧縮データと第１の音声圧縮データと第２の音声圧縮データとを前記ネットワークを介して取得し、記録するレコーダとを備えた監視システム。
【請求項６】
各々、ネットワークに接続された請求項２に記載の送受信装置と、前記送受信装置に映像信号を外部入力する監視カメラと、前記送受信装置に音声信号を外部入力する第１のマイクロホンと、前記送受信装置から外部出力される音声信号を再生する第１のスピーカとを有する複数の被監視側ユニットと、
前記ネットワークに接続された端末と、前記端末に接続されたモニタディスプレイと、前記端末から出力される音声信号を再生する第２のスピーカと、前記端末に音声信号を入力する第２のマイクロホンとを有し、前記端末は、前記第２のマイクロホンから入力される音声信号を圧縮符号化処理することにより第２の音声圧縮データを生成し、前記第２の音声圧縮データを、送信元を前記端末とし送信先をネットワーク処理部が第１の動作モードに設定されている前記送受信装置とする情報を含む第１の音声パケットに変換し、この第１の音声パケットを前記ネットワークへ送出する機能と、前記送受信装置から送出される第１の映像パケットを前記ネットワークから取得し、前記第１の映像パケットから前記映像圧縮データを抽出して復号化処理し前記モニタディスプレイに映像として表示する機能と、前記送受信装置から送出される第２の音声パケットを前記ネットワークから取得し、前記第２の音声パケットから前記第１の音声圧縮データを抽出して復号化処理することにより音声信号を生成し前記第２のスピーカへ出力する機能とを有する監視側ユニットと、
前記ネットワークに接続され、前記送受信装置から送出される第２の映像パケットを前記ネットワークから取得し、前記第２の映像パケットから前記映像圧縮データを抽出し、前記送受信装置から送出される第３の音声パケットを前記ネットワークから取得し、前記第３の音声パケットから前記第１の音声圧縮データと第２の音声圧縮データとを合わせたデータを抽出し、抽出した前記映像圧縮データ並びに第１の音声圧縮データと第２の音声圧縮データとを合わせたデータを記録するレコーダとを備えた監視システム。
【請求項７】
各々、ネットワークに接続された請求項３に記載の送受信装置と、前記送受信装置に映像信号を外部入力する監視カメラと、前記送受信装置に音声信号を外部入力する第１のマイクロホンと、前記送受信装置から外部出力される音声信号を再生する第１のスピーカとを有する複数の被監視側ユニットと、
前記ネットワークに接続された端末と、前記端末に接続されたモニタディスプレイと、前記端末から出力される音声信号を再生する第２のスピーカと、前記端末に音声信号を入力する第２のマイクロホンとを有し、前記端末は、前記第２のマイクロホンから入力される音声信号を圧縮符号化処理することにより第２の音声圧縮データを生成し、前記第２の音声圧縮データを、送信元を前記端末とし送信先をネットワーク処理部が第１の動作モードに設定されている前記送受信装置とする情報を含む第１の音声パケットに変換し、この第１の音声パケットを前記ネットワークへ送出する機能と、前記送受信装置から送出される第１の映像パケットを前記ネットワークから取得し、前記第１の映像パケットから前記映像圧縮データを抽出して復号化処理し前記モニタディスプレイに映像として表示する機能と、前記送受信装置から送出される第２の音声パケットを前記ネットワークから取得し、前記第２の音声パケットから第１の音声圧縮データを抽出して復号化処理することにより音声信号を生成し前記第２のスピーカへ出力する機能とを有する監視側ユニットと、
前記ネットワークに接続され、前記送受信装置から送出される第２の映像パケットを前記ネットワークから取得し、前記第２の映像パケットから前記映像圧縮データを抽出し、前記送受信装置から送出される第３の音声パケットを前記ネットワークから取得し、前記第３の音声パケットから前記第１の音声圧縮データを抽出し、前記送受信装置から送出される第４の音声パケットを前記ネットワークから取得し、前記第４の音声パケットから前記第２の音声圧縮データを抽出し、抽出した前記映像圧縮データと第１の音声圧縮データと第２の音声圧縮データとを記録するレコーダとを備えた監視システム。
【発明の詳細な説明】
【技術分野】
【０００１】
本発明は、監視カメラを設置した被監視場所にいる人と、監視用モニタディスプレイを配置した例えば監視室にいる人との間で会話を行うことができる監視システムに関する。
【背景技術】
【０００２】
従来、被監視場所を撮影する監視カメラ、マイク、スピーカ、及びそれらと接続されたトランスミッタを備えた被監視側ユニットが複数設けられ、監視カメラからの映像を表示するためのモニタディスプレイ、マイク、スピーカ、及びそれらと接続された端末を備えた監視側ユニットが例えば監視室に設けられ、各被監視側ユニットのトランスミッタと監視側ユニットの端末とがパケット通信網等のネットワークを介して接続された監視システムがある。このような監視システムでは、監視カメラで撮影される映像を監視室のモニタディスプレイに表示できる他、被監視側ユニットのマイク及びスピーカと、監視側ユニットのマイク及びスピーカとを用いて、被監視場所にいる例えば警備員と、監視室にいる例えば監視員とが会話することができる。このような監視システムでは、上記ネットワークに、ネットワーク対応デジタルレコーダが接続され、このレコーダに、監視カメラによる監視映像及び被監視側ユニットのマイクに入力される音声のデータが記録（記憶）されるようになっている。
【特許文献１】特開２００３−１６３９１４号公報
【特許文献２】特開平６−４４４８３号公報
【発明の開示】
【発明が解決しようとする課題】
【０００３】
上記従来の監視システムでは、ネットワーク対応デジタルレコーダに監視映像及び被監視側ユニットのマイクに入力される音声を記録することはできるが、監視室の監視側ユニットのマイクに入力される音声を記録できる構成ではなかった。すなわち、音声を被監視側と監視側との会話として記録することはできなかった。被監視側ユニットのトランスミッタでは、それに接続された監視カメラからの映像信号を映像パケットに変換し、また被監視側のマイクからの音声信号を音声パケットに変換して、それぞれネットワークへ送出し、監視側ユニットの端末では、監視側のマイクからの音声信号を音声パケットに変換してネットワークへ送出している。ここで、従来の構成のように監視映像と被監視側ユニットのマイクに入力される音声のみを記録するためには、被監視側ユニットのトランスミッタから映像パケット及び音声パケットをデジタルレコーダに対し送信するだけで済むが、監視映像とともに音声を会話として記録するために、例えば、被監視側ユニットのトランスミッタから映像パケット及び音声パケットをデジタルレコーダに対し送信するとともに、監視側ユニットの端末から音声パケットをデジタルレコーダに対し送信しようとすると、トランスミッタとデジタルレコーダ間の接続を確立するためのネゴシエーションに加え、端末とデジタルレコーダ間の接続を確立するためのネゴシエーションが増加し、ネットワークのトラフィックが増大することになる。
【０００４】
本発明は上記のような課題を解決するためになされたもので、ネットワークのトラフィックの増大を抑えて、監視カメラによる映像を記録するとともに被監視側にいる人と監視側にいる人との間の会話を記録することができる監視システムを実現するための送受信装置及びそれを用いた監視システムを提供することを目的としている。
【課題を解決するための手段】
【０００５】
上記課題を解決するために、本発明の第１の送受信装置は、外部入力される映像信号を圧縮符号化処理することにより映像圧縮データを生成する映像符号化部と、外部入力される音声信号を圧縮符号化処理することにより第１の音声圧縮データを生成する音声符号化部と、第１の動作モードを含む複数の動作モードを有し、前記第１の動作モードのときにネットワークを介して外部の端末から第２の音声圧縮データを取得する第１の機能と、前記第１の動作モードのときに前記映像符号化部で生成される映像圧縮データと前記音声符号化部で生成される第１の音声圧縮データと前記第１の機能により取得される第２の音声圧縮データのうち、少なくとも前記映像圧縮データと前記第１の音声圧縮データとを前記ネットワークを介して前記端末へ送信する第２の機能と、前記第１の動作モードのときに前記映像符号化部で生成される映像圧縮データと前記音声符号化部で生成される第１の音声圧縮データと前記第１の機能により取得される第２の音声圧縮データとを前記ネットワークを介して外部のレコーダへ送信する第３の機能とを有するネットワーク処理部と、前記ネットワーク処理部の前記第１の機能により取得される前記第２の音声圧縮データを復号化処理することにより音声信号を生成し外部出力する音声復号化部とを備えている。
【０００６】
また、第２の送受信装置は、第１の送受信装置において、前記ネットワーク処理部の前記第１の機能は、前記第２の音声圧縮データが変換されてなり送信元を前記端末とし送信先を前記送受信装置とする情報を含む第１の音声パケットを前記ネットワークから取得し、前記第１の音声パケットから前記第２の音声圧縮データを抽出する機能であり、前記第２の機能は、前記映像圧縮データを、送信元を前記送受信装置とし送信先を前記端末とする情報を含む第１の映像パケットに変換し、前記第１の音声圧縮データと前記第１の機能により抽出される前記第２の音声圧縮データとを合わせたデータを、送信元を前記送受信装置とし送信先を前記端末とする情報を含む第２の音声パケットに変換するとともに、前記第１の映像パケットと前記第２の音声パケットとを前記ネットワークへ送出する機能であり、前記第３の機能は、前記映像圧縮データを、送信元を前記送受信装置とし送信先を前記レコーダとする情報を含む第２の映像パケットに変換し、前記第１の音声圧縮データと前記第１の機能により抽出される前記第２の音声圧縮データとを合わせたデータを、送信元を前記送受信装置とし送信先を前記レコーダとする情報を含む第３の音声パケットに変換するとともに、前記第２の映像パケットと前記第３の音声パケットとを前記ネットワークへ送出する機能であるように構成されている。
【０００７】
また、第３の送受信装置は、第１の送受信装置において、前記ネットワーク処理部の前記第１の機能は、前記第２の音声圧縮データが変換されてなり送信元を前記端末とし送信先を前記送受信装置とする情報を含む第１の音声パケットを前記ネットワークから取得し、前記第１の音声パケットから前記第２の音声圧縮データを抽出する機能であり、前記第２の機能は、前記映像圧縮データを、送信元を前記送受信装置とし送信先を前記端末とする情報を含む第１の映像パケットに変換し、前記第１の音声圧縮データを、送信元を前記送受信装置とし送信先を前記端末とする情報を含む第２の音声パケットに変換するとともに、前記第１の映像パケットと前記第２の音声パケットとを前記ネットワークへ送出する機能であり、前記第３の機能は、前記映像圧縮データを、送信元を前記送受信装置とし送信先を前記レコーダとする情報を含む第２の映像パケットに変換し、前記第１の音声圧縮データを、送信元を前記送受信装置とし送信先を前記レコーダとする情報を含む第３の音声パケットに変換し、前記第１の機能により抽出される前記第２の音声圧縮データを、送信元を前記送受信装置とし送信先を前記レコーダとする情報を含む第４の音声パケットに変換するとともに、前記第２の映像パケットと前記第３の音声パケットと前記第４の音声パケットとを前記ネットワークへ送出する機能であるように構成されている。
【０００８】
上記のように構成された第１、第２、第３の送受信装置のいずれかを被監視側ユニットに用いて、後述の第１、第２、第３の監視システムを構成することにより、被監視側にいる人と監視側にいる人との会話をレコーダで記録する際、レコーダで記録される会話及び映像のデータは全て、被監視側ユニットの送受信装置から送信され、監視側のマイクロホンから入力される音声を記録するために監視側ユニットの端末とレコーダ間の接続を確立するためのネゴシエーションの必要がなく、ネットワークのトラフィックの増大を抑えて記録することが可能となる。
【０００９】
また、上記第１〜第３の送受信装置において、前記ネットワーク処理部に対して前記第１の動作モードと他の動作モードとを選択的に設定するモード設定部を設けることが好ましい。これにより、後述の第１、第２、第３の監視システムを構成した際に、被監視側ユニットの送受信装置を操作して第１の動作モードにすることで、監視側にいる人との会話をすることが可能となり、またその会話をレコーダで記録することが可能となる。
【００１０】
また、本発明の第１の監視システムは、各々、ネットワークに接続された上記第１の送受信装置と、前記送受信装置に映像信号を外部入力する監視カメラと、前記送受信装置に音声信号を外部入力する第１のマイクロホンと、前記送受信装置から外部出力される音声信号を再生する第１のスピーカとを有する複数の被監視側ユニットと、前記ネットワークに接続された端末と、前記端末に接続されたモニタディスプレイと、前記端末から出力される音声信号を再生する第２のスピーカと、前記端末に音声信号を入力する第２のマイクロホンとを有し、前記端末は、前記第２のマイクロホンから入力される音声信号を圧縮符号化処理することにより第２の音声圧縮データを生成し、前記ネットワークを介してネットワーク処理部が第１の動作モードに設定されている前記送受信装置へ送信する機能と、前記送受信装置から送信される映像圧縮データを前記ネットワークを介して取得し、前記映像圧縮データを復号化処理し前記モニタディスプレイに映像として表示する機能と、前記送受信装置から送信される第１の音声圧縮データを前記ネットワークを介して取得し、前記第１の音声圧縮データを復号化処理することにより音声信号を生成し前記第２のスピーカへ出力する機能とを有する監視側ユニットと、前記ネットワークに接続され、前記送受信装置から送信される映像圧縮データと第１の音声圧縮データと第２の音声圧縮データとを前記ネットワークを介して取得し、記録するレコーダとを備えている。
【００１１】
この構成によれば、ネットワーク処理部が第１の動作モードに設定されている送受信装置を有する被監視側ユニットと監視側ユニットとの間で、それぞれのマイクロホン及びスピーカを使用して被監視側にいる人と監視側にいる人とが会話することができ、その会話（第１の音声圧縮データと第２の音声圧縮データ）と被監視側ユニットの監視カメラで撮影される映像（映像圧縮データ）をレコーダで記録することができる。このレコーダで記録される会話及び映像のデータは全て、被監視側ユニットの送受信装置から送信されるため、監視側のマイクロホンから入力される音声を記録するために監視側ユニットの端末とレコーダ間の接続を確立するためのネゴシエーションの必要がなく、ネットワークのトラフィックの増大を抑えて記録することができる。
【００１２】
また、第２の監視システムは、各々、ネットワークに接続された上記第２の送受信装置と、前記送受信装置に映像信号を外部入力する監視カメラと、前記送受信装置に音声信号を外部入力する第１のマイクロホンと、前記送受信装置から外部出力される音声信号を再生する第１のスピーカとを有する複数の被監視側ユニットと、前記ネットワークに接続された端末と、前記端末に接続されたモニタディスプレイと、前記端末から出力される音声信号を再生する第２のスピーカと、前記端末に音声信号を入力する第２のマイクロホンとを有し、前記端末は、前記第２のマイクロホンから入力される音声信号を圧縮符号化処理することにより第２の音声圧縮データを生成し、前記第２の音声圧縮データを、送信元を前記端末とし送信先をネットワーク処理部が第１の動作モードに設定されている前記送受信装置とする情報を含む第１の音声パケットに変換し、この第１の音声パケットを前記ネットワークへ送出する機能と、前記送受信装置から送出される第１の映像パケットを前記ネットワークから取得し、前記第１の映像パケットから前記映像圧縮データを抽出して復号化処理し前記モニタディスプレイに映像として表示する機能と、前記送受信装置から送出される第２の音声パケットを前記ネットワークから取得し、前記第２の音声パケットから前記第１の音声圧縮データを抽出して復号化処理することにより音声信号を生成し前記第２のスピーカへ出力する機能とを有する監視側ユニットと、前記ネットワークに接続され、前記送受信装置から送出される第２の映像パケットを前記ネットワークから取得し、前記第２の映像パケットから前記映像圧縮データを抽出し、前記送受信装置から送出される第３の音声パケットを前記ネットワークから取得し、前記第３の音声パケットから前記第１の音声圧縮データと第２の音声圧縮データとを合わせたデータを抽出し、抽出した前記映像圧縮データ並びに第１の音声圧縮データと第２の音声圧縮データとを合わせたデータを記録するレコーダとを備えている。
【００１３】
この構成によれば、ネットワーク処理部が第１の動作モードに設定されている送受信装置を有する被監視側ユニットと監視側ユニットとの間で、それぞれのマイクロホン及びスピーカを使用して被監視側にいる人と監視側にいる人とが会話することができ、その会話（第１の音声圧縮データと第２の音声圧縮データとを合わせたデータ）と被監視側ユニットの監視カメラで撮影される映像（映像圧縮データ）をレコーダで記録することができる。このレコーダで記録される音声及び映像のそれぞれのデータを含むパケットは全て、被監視側ユニットの送受信装置から送信されるため、監視側のマイクロホンから入力される音声を記録するために監視側ユニットの端末とレコーダ間の接続を確立するためのネゴシエーションの必要がなく、ネットワークのトラフィックの増大を抑えて記録することができる。
【００１４】
また、第３の監視システムは、各々、ネットワークに接続された上記第３の送受信装置と、前記送受信装置に映像信号を外部入力する監視カメラと、前記送受信装置に音声信号を外部入力する第１のマイクロホンと、前記送受信装置から外部出力される音声信号を再生する第１のスピーカとを有する複数の被監視側ユニットと、前記ネットワークに接続された端末と、前記端末に接続されたモニタディスプレイと、前記端末から出力される音声信号を再生する第２のスピーカと、前記端末に音声信号を入力する第２のマイクロホンとを有し、前記端末は、前記第２のマイクロホンから入力される音声信号を圧縮符号化処理することにより第２の音声圧縮データを生成し、前記第２の音声圧縮データを、送信元を前記端末とし送信先をネットワーク処理部が第１の動作モードに設定されている前記送受信装置とする情報を含む第１の音声パケットに変換し、この第１の音声パケットを前記ネットワークへ送出する機能と、前記送受信装置から送出される第１の映像パケットを前記ネットワークから取得し、前記第１の映像パケットから前記映像圧縮データを抽出して復号化処理し前記モニタディスプレイに映像として表示する機能と、前記送受信装置から送出される第２の音声パケットを前記ネットワークから取得し、前記第２の音声パケットから第１の音声圧縮データを抽出して復号化処理することにより音声信号を生成し前記第２のスピーカへ出力する機能とを有する監視側ユニットと、前記ネットワークに接続され、前記送受信装置から送出される第２の映像パケットを前記ネットワークから取得し、前記第２の映像パケットから前記映像圧縮データを抽出し、前記送受信装置から送出される第３の音声パケットを前記ネットワークから取得し、前記第３の音声パケットから前記第１の音声圧縮データを抽出し、前記送受信装置から送出される第４の音声パケットを前記ネットワークから取得し、前記第４の音声パケットから前記第２の音声圧縮データを抽出し、抽出した前記映像圧縮データと第１の音声圧縮データと第２の音声圧縮データとを記録するレコーダとを備えている。
【００１５】
この構成によれば、ネットワーク処理部が第１の動作モードに設定されている送受信装置を有する被監視側ユニットと監視側ユニットとの間で、それぞれのマイクロホン及びスピーカを使用して被監視側にいる人と監視側にいる人とが会話することができ、その会話（第１の音声圧縮データと第２の音声圧縮データ）と被監視側ユニットの監視カメラで撮影される映像（映像圧縮データ）をレコーダで記録することができる。このレコーダで記録される音声及び映像のそれぞれのデータを含むパケットは全て、被監視側ユニットの送受信装置から送信されるため、監視側のマイクロホンから入力される音声を記録するために監視側ユニットの端末とレコーダ間の接続を確立するためのネゴシエーションの必要がなく、ネットワークのトラフィックの増大を抑えて記録することができる。
【発明の効果】
【００１６】
本発明は、以上に説明した構成を有し、ネットワークのトラフィックの増大を抑えて、監視カメラによる映像を記録するとともに被監視側にいる人と監視側にいる人との間の会話を記録することができる監視システムを実現するための送受信装置及びそれを用いた監視システムを提供することができるという効果を奏する。
【発明を実施するための最良の形態】
【００１７】
以下、本発明の好ましい実施の形態を、図面を参照しながら説明する。
【００１８】
図１は、本発明の実施の形態の監視システムの構成を示すブロック図である。また、図２は、本監視システムの被監視側ユニットの送受信装置であるトランスミッタの内部構成を示すブロック図である。
【００１９】
この監視システムは、被監視場所に設置されている被監視側ユニット２と、例えば監視室に設置されている監視側ユニット３と、所定場所に設置されているネットワーク対応デジタルレコーダ（以下、単にレコーダという）４とが、それぞれネットワーク１に接続されている。被監視側ユニット２は、図１では１つしか示していないが、複数の被監視側ユニット２がネットワーク１に接続されている。これらの複数の被監視側ユニット２のトランスミッタ２１、監視側ユニット３の端末３１及びレコーダ４のそれぞれにＩＰアドレスが割り当てられている。また、監視側ユニット３及びレコーダ４もそれぞれ複数設けられる場合があるが、本実施の形態では、簡単化のため、監視側ユニット３及びレコーダ４がそれぞれ１つ設けられている場合について説明する。
【００２０】
ネットワーク１は、ここではイーサーネット型のＬＡＮを用いるものとするが、ＬＡＮの他、ＷＡＮやインターネット等からなるパケット通信網を用いた構成とすることも可能である。
【００２１】
複数の被監視側ユニット２は、それぞれ異なる被監視場所に設置されている。各被監視側ユニット２には、トランスミッタ本体２１ａにモード切替用スイッチ２１ｂが接続されてなるトランスミッタ２１と、映像を撮影する監視カメラ２２と、音声を入力するマイクロホン２３と、音声を出力するスピーカ２４とを備えている。トランスミッタ２１は、ネットワーク１に接続され、例えば、監視カメラ２２から入力される映像アナログ信号、マイクロホン２３から入力される音声アナログ信号のそれぞれを、送信先のＩＰアドレスの情報を含むパケットに変換してネットワーク１へ送出する。また、ネットワーク１から送信先のＩＰアドレスが自アドレスであるパケットを取得する。
【００２２】
監視側ユニット３には、汎用コンピュータからなる端末３１とモニタディスプレイ３２とマイクロホン３３とスピーカ３４とを備えている。また、図示されていないが、端末３１には、入力操作機器として情報等を入力するためのキーボード及びポインティングデバイスとしてのマウスを備えている。端末３１は、ネットワーク１に接続され、例えば、マイクロホン３３から入力される音声アナログ信号を、送信先のＩＰアドレスの情報を含むパケットに変換してネットワーク１へ送出する。また、ネットワーク１から送信先のＩＰアドレスが自アドレスであるパケットを取得する。
【００２３】
また、レコーダ４には、ネットワーク処理部と、ハードディスクからなるデータ記録（記憶）部とを備えている。このネットワーク処理部では、ネットワーク１から、送信先のＩＰアドレスが自アドレスであるパケットを取得し、取得したパケットからそのデータ部分（映像圧縮データ、音声圧縮データ）と再生に必要な情報（例えば図３の「ＲＴＰヘッダ」の情報）を取り出してデータ記録部に記録（記憶）する。
【００２４】
本実施の形態において生成されるパケットの構成（フォーマット）を図３に示す。このパケットは、ＴＣＰ／ＩＰプロトコルを用いたネットワーク１上を伝送されるパケットであり、図３に示す「データ」の部分には、映像圧縮データあるいは音声圧縮データが分割されたデータが格納され、「ＲＴＰヘッダ」の部分には、シーケンス番号、データの同期情報（時間的関係）を示すタイムスタンプ等が格納され、「ＵＤＰヘッダ」の部分には、送信元のポート番号及び送信先のポート番号等が格納され、「ＩＰヘッダ」の部分には、送信元のＩＰアドレス及び送信先のＩＰアドレス等が格納されている。
【００２５】
次に、図２を参照してトランスミッタ２１の内部構成について説明する。
【００２６】
トランスミッタ２１は、トランスミッタ本体２１ａ及びモード切替用スイッチ２１ｂからなる。トランスミッタ本体２１ａには、ネットワーク処理部４１と映像符号化部４２と音声符号化部４３と音声復号化部４４とモード制御部４５とを備えている。映像符号化部４２では、監視カメラ２２から入力される映像アナログ信号を、例えばＭＰＥＧ４形式あるいはＪＰＥＧ形式により符号化（Ａ/Ｄ変換して圧縮する処理）して映像圧縮データを生成し、ネットワーク処理部４１へ出力する。音声符号化部４３では、マイクロホン２３から入力される音声アナログ信号を、例えばＧ．７２２（ＩＴＵ−Ｔ勧告の音声符号化方式）により符号化（Ａ/Ｄ変換して圧縮する処理）して音声圧縮データを生成し、ネットワーク処理部４１へ出力する。音声復号化部４４では、ネットワーク処理部４１から入力される音声圧縮データを復号化処理（伸張してＤ/Ａ変換する処理）して音声アナログ信号を生成し、スピーカ２４へ出力する。
【００２７】
ネットワーク処理部４１には、ネットワークインターフェース機能及びパケット組立て分解機能（ＰＡＤ：Packet Assembly Disassembly）を有しており、映像符号化部４２から入力される映像圧縮データ及び音声符号化部４３から入力される音声圧縮データのそれぞれを映像パケット、音声パケットにパケット化し、ネットワーク１へ送出する。また、ネットワーク１から、送信先のＩＰアドレスが自己を含むトランスミッタ２１のアドレスであるパケットを取得する。また、後述の会話記録モード時には、端末３１から送信されてきた音声パケットのデータ部分（音声圧縮データ）を音声復号化部４４へ出力する。さらに、端末３１から送信されてきた音声パケットの音声圧縮データをレコーダ４に記録するために、少なくともその音声圧縮データをパケットにしてレコーダ４へ送信するが、その方法については後述する。
【００２８】
モード制御部４５は、モード切替用スイッチ２１ｂが操作されることにより、ネットワーク処理部４１に対して後述の通常モードと会話記録モードとを選択的に設定する。モード切替用スイッチ２１ｂは例えば押しボタン式のスイッチからなり、巡回中の警備員等がそのスイッチを押すたびにモード制御部４５によりネットワーク処理部４１の動作モードが、通常モードから会話記録モードへ、あるいは会話記録モードから通常モードへ切り替えられる。以下では、説明の都合上、モード切替用スイッチ２１ｂがオフのとき、ネットワーク処理部４１が通常モードに設定され、モード切替用スイッチ２１ｂがオンのとき、ネットワーク処理部４１が会話記録モードに設定される、として説明する。モード制御部４５とモード切替用スイッチ２１ｂによって動作モードを設定するモード設定部が構成される。
【００２９】
また、監視側ユニット３の端末３１には、ネットワーク処理機能、映像復号化機能、音声復号化機能、音声符号化機能、及びそれらの機能を制御する制御機能を有している。ネットワーク処理機能には、ネットワークインターフェース機能及びパケット組立て分解機能（ＰＡＤ）を含んでおり、ネットワーク１から、送信先のＩＰアドレスが自アドレスであるパケットを取得し、取得したパケットが映像パケットである場合には、その映像パケットのデータ部分（映像圧縮データ）を取り出して映像復号化機能へ渡し、映像復号化機能により映像圧縮データを復号化処理（伸張してＤ/Ａ変換する処理）して映像アナログ信号を生成し、モニタディスプレイ３２へ出力し、モニタディスプレイ３２の画面に映像を表示させることができる。また、取得したパケットが音声パケットである場合には、その音声パケットのデータ部分（音声圧縮データ）を取り出して音声復号化機能へ渡し、音声復号化機能により音声圧縮データを復号化処理（伸張してＤ/Ａ変換する処理）して音声アナログ信号を生成し、スピーカ３４へ出力して音声を再生することができる。また、音声符号化機能により、マイクロホン３３から入力される音声アナログ信号を、例えばＧ．７２２（ＩＴＵ−Ｔ勧告の音声符号化方式）により符号化（Ａ/Ｄ変換して圧縮する処理）して音声圧縮データを生成し、ネットワーク処理機能へ渡し、ネットワーク処理機能では音声圧縮データをパケット化して音声パケットを作成し、このパケットをネットワーク１へ送出することができる。
【００３０】
次に、以上のように構成された本実施の形態の監視システムについて、その動作を説明する。また、第１の構成例におけるネットワーク処理部４１でのパケットの作成及び送出動作の概略のフローチャートを図４に示す。
【００３１】
ネットワーク処理部４１が通常モードに設定されている場合も、会話記録モードに設定されている場合も、監視カメラ２２から入力される映像アナログ信号は映像符号化部４２で映像圧縮データに変換されてネットワーク処理部４１へ入力される。また、マイクロホン２３から入力される音声アナログ信号は音声符号化部４３で音声圧縮データに変換されてネットワーク処理部４１へ入力される。
【００３２】
通常モードの場合、ネットワーク処理部４１では、映像符号化部４２から入力される映像圧縮データ及び音声符号化部４３から入力される音声圧縮データのそれぞれをパケット化する（図４のステップＳ２、Ｓ３）。ここで映像圧縮データをパケット化する場合、ヘッダ情報に含まれている送信先ＩＰアドレスを監視側の端末３１のＩＰアドレスとする映像パケットＡを作成するとともに、送信先ＩＰアドレスをレコーダ４のＩＰアドレスとする映像パケットＢを作成する（ステップＳ２）。同様に、音声圧縮データをパケット化する場合、送信先ＩＰアドレスを監視側の端末３１のＩＰアドレスとする音声パケットａを作成するとともに、送信先ＩＰアドレスをレコーダ４のＩＰアドレスとする音声パケットｂを作成する（ステップＳ３）。そして、これらのパケットをネットワーク１へ送出する（ステップＳ４）。
【００３３】
本実施の形態では、この第１の構成例の場合も、後述の第２の構成例の場合も、モード切替用スイッチ２１ｂがオフのとき、ネットワーク処理部４１は通常モードに設定されており、この通常モードにおいて、上記のようにネットワーク処理部４１が動作するように、モード制御部４５がネットワーク処理部４１を制御する。
【００３４】
この場合、監視側の端末３１及びレコーダ４のそれぞれは、ネットワーク１から送信先のＩＰアドレスが自アドレスであるパケットを取得する。端末３１では、前述の機能により、取得した映像パケットＡのデータ部分を処理することにより監視カメラ２２で撮影された映像をモニタディスプレイ３２の画面に表示させ、また、取得した音声パケットａのデータ部分を処理することにより被監視側ユニット２のマイクロホン２３から入力される音声をスピーカ３４で再生させることが可能である。複数の被監視側ユニット２のうちどの被監視側ユニット２で撮影された映像をモニタディスプレイ３２の画面に表示させるか、また、どの被監視側ユニット２で採取された音声をスピーカ３４で再生させるかは、端末３１の入力操作機器による操作によって適宜選択できるように構成されている。また、レコーダ４では、取得した映像パケットＢ及び音声パケットｂのデータを記録する。すなわち、監視カメラ２２による映像のデータ（映像圧縮データ）と、被監視側のマイクロホン２３に入力される音声のデータ（音声圧縮データ）とが記録される。
【００３５】
次に、複数のうちの任意の一の被監視側ユニット２のモード切替用スイッチ２１ｂがオンされたときの、その被監視側ユニット２と監視側ユニット３とレコーダ４の動作を説明する。モード切替用スイッチ２１ｂがオンされると、モード制御部４５の制御によって、会話記録モードになる。この場合、ネットワーク処理部４１では、前述の通常モードの場合のステップＳ２と同様、映像符号化部４２から入力される映像圧縮データから、送信先を監視側の端末３１とする映像パケットＡ、及び送信先をレコーダ４とする映像パケットＢを作成する（ステップＳ５）。さらに、会話記録モードでは、監視側の端末３１では、前述の機能により、マイクロホン３３から入力される音声アナログ信号から音声圧縮データを生成し、さらにその音声圧縮データを、送信先のＩＰアドレスをトランスミッタ２１のＩＰアドレスとする音声パケットにしてネットワーク１へ送出する。被監視側のトランスミッタ２１のネットワーク処理部４１は、監視側の端末３１からトランスミッタ２１宛にネットワーク１へ送出された音声パケットを取得し、その音声パケットのデータ部分（監視側の音声圧縮データ）を音声復号化部４４へ出力するとともに、その音声パケットのデータ部分（監視側の音声圧縮データ）と、音声符号化部４３から入力される音声圧縮データとを合わせたデータをパケット化する。ここでパケット化する場合、ヘッダ情報に含まれている送信先ＩＰアドレスを監視側の端末３１のＩＰアドレスとする音声パケットｃを作成するとともに、送信先ＩＰアドレスをレコーダ４のＩＰアドレスとする音声パケットｄを作成する（ステップＳ６）。これらの音声パケットｃ、ｄのデータ部分には、監視側の音声圧縮データと被監視側の音声圧縮データの両方が含まれている。そして、これらのパケットをネットワーク１へ送出する（ステップＳ７）。また、音声復号化部４４では、ネットワーク処理部４１から入力される音声圧縮データを復号化処理（伸張してＤ/Ａ変換する処理）して音声アナログ信号を生成してスピーカ２４へ出力し、監視側ユニット３のマイクロホン３３から入力される音声をスピーカ２４で再生させる。
【００３６】
監視側の端末３１及びレコーダ４のそれぞれは、ネットワーク１から送信先のＩＰアドレスが自アドレスであるパケットを取得する。端末３１では、前述の機能により、取得した映像パケットＡのデータ部分を処理することにより監視カメラ２２で撮影された映像をモニタディスプレイ３２の画面に表示させる。また、取得した音声パケットｃのデータ部分から被監視側の音声圧縮データ部分を抽出して処理することにより被監視側ユニット２のマイクロホン２３から入力される音声をスピーカ３４で再生させる。また、レコーダ４では、取得した映像パケットＢ及び音声パケットｄのデータを記録する。すなわち、監視カメラ２２による映像のデータ（映像圧縮データ）が記録されるとともに、被監視側のマイクロホン２３及び監視側のマイクロホン３３に入力される音声のデータ（音声圧縮データ）、すなわち監視側と被監視側との間で交わされる会話のデータが記録される。
【００３７】
この第１の構成例の場合、ネットワーク処理部４１は会話記録モードに設定されると、上記のようにネットワーク処理部４１が動作するように、モード制御部４５がネットワーク処理部４１を制御する。また、ネットワーク処理部４１は会話記録モードに設定されると、そのことを端末３１に予め通知し（その内容のパケットを送信する）、その通知を受けて端末３１は上記のように動作するように、端末３１内の制御機能が働く。また、ネットワーク処理部４１は会話記録モードに設定されると、レコーダ４に対し送信するデータを記録するように通知し（その内容のパケットを送信する）、その通知を受けてレコーダ４は上記のようにデータを記録する。
【００３８】
なお、上記のステップＳ６における音声パケットｃ、ｄを作成する際、音声パケットｃ、ｄのデータ部分に格納される、監視側の音声圧縮データと被監視側の音声圧縮データとが識別できるように、予め定めた配置方法により配置するようにする。例えば、１音声に相当するデータごとに、それぞれの音声圧縮データを所定の順で交互に配置する方法、あるいは、音声パケットのデータ部分を固定長とし、例えばデータ部分の前半に監視側の音声圧縮データを配置し、後半に被監視側の音声圧縮データを配置する方法を用いればよい。あるいは、音声パケットｃ、ｄのデータ部分に格納される、監視側の音声圧縮データ及び被監視側の音声圧縮データのそれぞれに、それぞれを識別するためのヘッダを添付してデータ部分に格納する方法を用いてもよい。この場合、監視側の音声圧縮データと被監視側の音声圧縮データとをランダムに配置できる。いずれの方法においても、音声パケットのデータのフォーマット上で定義しておくことで、各音声パケットのデータ部分において監視側の音声圧縮データと被監視側の音声圧縮データとの識別が可能となる。したがって、端末３１では、取得した音声パケットｃのデータ部分から被監視側の音声圧縮データ部分を抽出し、処理することにより、被監視側の音声のみをスピーカ３４で再生することができる。この場合、監視側の音声圧縮データ部分は破棄される。音声パケットｃからの被監視側の音声圧縮データ部分の抽出及び監視側の音声圧縮データ部分の破棄は、端末３１のパケット組立て分解機能（ＰＡＤ）により行われる。
【００３９】
次に、第２の構成例におけるネットワーク処理部４１でのパケットの作成及び送出動作の概略のフローチャートを図５に示す。
【００４０】
この図５の例では、通常モード時の動作は図４の例の場合と同様であり、会話記録モード時の動作が異なる。したがって、通常モード時の動作説明は省略する。
【００４１】
次に、複数のうちの任意の一の被監視側ユニット２のモード切替用スイッチ２１ｂがオンされたときの、その被監視側ユニット２と監視側ユニット３とレコーダ４の動作を説明する。モード切替用スイッチ２１ｂがオンされると、モード制御部４５の制御によって、会話記録モードになる。この場合、ネットワーク処理部４１では、通常モードの場合のステップＳ２と同様、映像符号化部４２から入力される映像圧縮データから、送信先を監視側の端末３１とする映像パケットＡ、及び送信先をレコーダ４とする映像パケットＢを作成する（ステップＳ５）。また、通常モードの場合のステップＳ３と同様、音声符号化部４３から入力される音声圧縮データから、送信先を監視側の端末３１とする音声パケットａ、及び送信先をレコーダ４とする音声パケットｂを作成する（ステップＳ８）。さらに、会話記録モードでは、監視側の端末３１では、前述の機能により、マイクロホン３３から入力される音声アナログ信号から音声圧縮データを生成し、さらにその音声圧縮データを、送信先のＩＰアドレスをトランスミッタ２１のＩＰアドレスとする音声パケットにしてネットワーク１へ送出する。被監視側のトランスミッタ２１のネットワーク処理部４１は、監視側の端末３１からトランスミッタ２１宛にネットワーク１へ送出された音声パケットを取得し、その音声パケットのデータ部分（監視側の音声圧縮データ）を音声復号化部４４へ出力するとともに、その音声パケットのデータ部分（被監視側の音声圧縮データ）に、送信元のＩＰアドレスをトランスミッタ２１のＩＰアドレスとし、送信先のＩＰアドレスをレコーダ４のＩＰアドレスとする情報を含むヘッダを付加した音声パケットｅを作成する（ステップＳ８）。この音声パケットｅは、監視側の端末３１から送信された上記の音声パケットを、そのヘッダ情報に含まれる送信元ＩＰアドレス及び送信先ＩＰアドレス等を変更した音声パケットである。そして、これらのパケットをネットワーク１へ送出する（ステップＳ７）。また、音声復号化部４４では、ネットワーク処理部４１から入力される音声圧縮データを復号化処理（伸張してＤ/Ａ変換する処理）して音声アナログ信号を生成してスピーカ２４へ出力し、監視側ユニット３のマイクロホン３３から入力される音声をスピーカ２４で再生させる。
【００４２】
監視側の端末３１及びレコーダ４のそれぞれは、ネットワーク１から送信先のＩＰアドレスが自アドレスであるパケットを取得する。端末３１では、前述の機能により、取得した映像パケットＡのデータ部分を処理することにより監視カメラ２２で撮影された映像をモニタディスプレイ３２の画面に表示させることが可能である。また、本例では、端末３１が取得する音声パケットａのデータ部分には被監視側の音声圧縮データのみが格納されているので、通常モードの場合と同様にしてそのデータ部分を処理することにより被監視側ユニット２のマイクロホン２３から入力される音声をスピーカ３４で再生できる。また、レコーダ４では、取得した映像パケットＢ及び音声パケットｂ、ｅのデータを記録する。すなわち、監視カメラ２２による映像のデータ（映像圧縮データ）が記録されるとともに、被監視側のマイクロホン２３に入力される音声のデータ（音声圧縮データ）及び監視側のマイクロホン３３に入力される音声のデータ（音声圧縮データ）、すなわち監視側と被監視側との間で交わされる会話のデータが記録される。
【００４３】
この第２の構成例の場合、ネットワーク処理部４１は会話記録モードに設定されると、上記のようにネットワーク処理部４１が動作するように、モード制御部４５がネットワーク処理部４１を制御する。また、ネットワーク処理部４１は会話記録モードに設定されると、そのことを端末３１に予め通知し（その内容のパケットを送信する）、その通知を受けて端末３１は上記のように動作するように、端末３１内の制御機能が働く。また、ネットワーク処理部４１は会話記録モードに設定されると、レコーダ４に対し送信するデータを記録するように通知し（その内容のパケットを送信する）、その通知を受けてレコーダ４は上記のようにデータを記録する。
【００４４】
上記の第１の構成例、第２の構成例のいずれの場合も、監視側ユニット３の端末３１からレコーダ４に格納されているデータを要求することにより、レコーダ４はパケットにして端末３１へ送信し、端末３１はその映像をモニタディスプレイ３２に表示させ、音声をスピーカ３４で再生できるように構成されている。
【００４５】
また、第１の構成例、第２の構成例のいずれの場合も、被監視側ユニット２のモード切替用スイッチ２１ｂの操作により、その被監視側ユニット２のネットワーク処理部４１の動作モードが切り替えられるものとして説明したが、さらに、監視側の端末３１の入力機器を操作することによっても、被監視側ユニット２のネットワーク処理部４１の動作モードを設定できるように構成してあってもよい。この場合、入力機器を操作することによって端末３１から任意の一の被監視側ユニット２のネットワーク処理部４１を、例えば会話記録モードに設定する旨を通知する（その内容のパケットを送信する）。その旨の通知が、ネットワーク処理部４１を介してモード制御部４５へ届くと、モード制御部４５はネットワーク処理部４１を会話記録モードに設定する。これにより、ネットワーク処理部４１はレコーダ４に対して送信するデータを記録するように通知し（その内容のパケットを送信する）、その通知を受けてレコーダ４はデータを記録する。実際は、送信側機器から受信側機器へ通知（要求）を行うと、受信側機器から送信側機器へそれに対する応答がなされる。
【００４６】
また、複数のレコーダ４がネットワーク１に接続されている場合には、例えば、あるトランスミッタ２１から送信される記録すべきデータをどのレコーダ４に記録するかを予め決めておけばよい。また、複数の監視側ユニット３がネットワーク１に接続されている場合には、例えば、ある被監視側ユニット２のモード切替用スイッチ２１ｂのオン操作により、どの監視側ユニット３の端末３１との通信を可能にするかを予め決めておけばよい。
【００４７】
本実施の形態では、第１の構成例、第２の構成例のいずれの場合も、被監視側にいる人と監視側にいる人との会話をレコーダ４で記録する際、レコーダ４で記録される会話及び映像のデータは全て、被監視側ユニット２のトランスミッタ２１からレコーダ４へ送信されるため、監視側のマイクロホン３３から入力される音声を記録するために監視側ユニット３の端末３１とレコーダ４間の接続を確立するためのネゴシエーションの必要がなく、ネットワーク１のトラフィックの増大を抑えて記録することが可能となる。
【００４８】
なお、本実施の形態では、図４、図５のステップＳ２、Ｓ５で作成する映像パケットＡとＢや、図４、図５のステップＳ３及び図５のステップＳ８で作成する音声パケットａとｂ、図４のステップＳ６で作成する音声パケットｃとｄのように、データ部分が同じで送信先が異なるパケットを作成する際、それぞれ送信先ごとに別々のパケットを作成するようにしたが、１つのパケットを作成し、その１つのパケットが複数の送信先へ送信されるように構成してもよい。例えば、マルチキャストの手法を用いて実現することができる。
【００４９】
また、本実施の形態では、通常モードの場合に、常に被監視側の監視映像と音声をレコーダ４で記録するようにしたが、それぞれ必要に応じて記録するように構成してもよい。例えば、監視映像のみを記録するようにしてもよい。あるいは、被監視側ユニット２に、監視カメラ２２の監視映像の動的変化を検知する映像検知手段を設け、映像検知手段が動的変化を検知してから少なくとも一定時間の間、被監視側の監視映像と音声を記録するようにしてもよい。あるいは、被監視側ユニット２にマイクロホン２３に入力される音声が一定レベル以上の大きな音量となる音声を検知する音声検知手段を設け、音声検知手段が大きな音量となる音声を検知してから少なくとも一定時間の間、被監視側の監視映像と音声を記録するようにしてもよい。
【００５０】
また、本実施の形態では、監視カメラ２２からトランスミッタ本体２１ａへの入力信号をアナログ信号としたが、監視カメラ２２からの入力信号がデジタル信号の場合には、映像符号化部４２におけるＡ/Ｄ変換処理は不要である。同様に、マイクロホン２３からの入力信号がデジタル信号の場合には、音声符号化部４３におけるＡ/Ｄ変換処理は不要である。同様に、スピーカ２４に入力信号のＤ/Ａ変換機能がある場合には、音声復号化部４４におけるＤ/Ａ変換処理は不要である。さらに、端末３１と、モニタディスプレイ３２、マイクロホン３３及びスピーカ３４との間の信号（映像信号、音声信号）をそれぞれデジタル信号とする構成の場合も、端末３１の映像復号化機能、音声符号化機能、音声復号化機能において同様である。
【産業上の利用可能性】
【００５１】
本発明は、監視カメラを設置した被監視場所にいる人と、監視用モニタディスプレイを配置した例えば監視室にいる人との間の会話を記録する監視システム等に有用である。
【図面の簡単な説明】
【００５２】
【図１】本発明の実施の形態の監視システムの構成を示すブロック図である。
【図２】本発明の実施の形態の監視システムに用いられているトランスミッタの内部構成を示すブロック図である。
【図３】本発明の実施の形態において生成されるパケットの構成を示す図である。
【図４】本発明の実施の形態の第１の構成例におけるネットワーク処理部でのパケットの作成及び送出動作の概略のフローチャートである。
【図５】本発明の実施の形態の第２の構成例におけるネットワーク処理部でのパケットの作成及び送出動作の概略のフローチャートである。
【符号の説明】
【００５３】
１  ネットワーク
２  被監視側ユニット
３  監視側ユニット
４  ネットワーク対応デジタルレコーダ
２１  トランスミッタ
２１ａ  トランスミッタ本体
２１ｂ  モード切替用スイッチ
２２  監視カメラ
２３  マイクロホン
２４  スピーカ
３１  端末
３２  モニタディスプレイ
３３  マイクロホン
３４  スピーカ
４１  ネットワーク処理部
４２  映像符号化部
４３  音声符号化部
４４  音声復号化部
４５  モード制御部
【図１】
0004509889.tif 000002
【図２】
0004509889.tif 000003
【図３】
0004509889.tif 000004
【図４】
0004509889.tif 000005
【図５】
0004509889.tif 000006